(57)【要約】【課題】ＩＤカードに印刷される顔写真を撮影する際のなりすましを防止し、ＩＤカードの新規発行を申請できるシステムを提供する。【解決手段】写真撮影装置３は、申請者７が所持する身分証明ＩＣカード５を用いた本人認証に成功すると、申請者７の顔写真と身分証明ＩＣカード５の券面情報を申請受付装置４へ送信する。申請受付装置４には、写真撮影装置３から受信した顔写真および身分証明ＩＣカード５の券面情報ならびに申請者７が情報端末２を利用して作成した申請書が、申請者７の個人コードに関連付けて申請受付装置４に保存され、写真撮影装置３から受信した顔写真と情報端末２から受信した申請書が利用されて、カード発行機関６にて、申請者７のＩＤカードが発行される。【選択図】図１
2014002640.tif 000002
【特許請求の範囲】
【請求項１】
認証データを照合する手段を備えた申請者の身分証明ＩＣカードと、
ＩＤカードの申請書と個人コードを外部の装置から受信すると、個人コードに関連付けて申請書を記憶し、顔写真と個人コードを外部の装置から受信すると、個人コードに関連付けて顔写真を記憶する申請受付手段を備えた申請受付装置と、
申請書の内容と個人コードを申請者に入力させ、申請書と個人コードを前記申請受付装置へ送信する申請書作成手段を備えた情報端末と、
申請者の顔写真を撮影する顔写真撮影手段と、申請者から取得した認証データを申請者の前記身分証明ＩＣカードに照合させて本人認証を行う本人認証手段と、顔写真を撮影する操作がなされると、申請者から個人コードを取得した後、前記本人認証手段を作動させて本人認証を行い、本人認証に成功すると、前記顔写真撮影手段による顔写真の撮影を許可し、前記顔写真撮影手段が撮影した顔写真と個人コードを前記申請受付装置へ送信する顔写真提出手段を備えた写真撮影装置と、
から少なくとも構成されることを特徴とするＩＤカード申請システム。
【請求項２】
前記写真撮影装置は、前記身分証明ＩＣカードの券面画像を撮影する券面撮影手段を備え、前記顔写真提出手段は、前記顔写真撮影手段が撮影した顔写真と個人コードを前記申請受付装置へ送信する前に、前記券面撮影手段を作動させて、前記身分証明ＩＣカードの券面画像を撮影し、前記顔写真撮影手段が撮影した顔写真と個人コードに加え、前記券面撮影手段が撮影した券面画像を前記申請受付装置へ送信し、
前記申請受付装置は、前記顔写真撮影手段から受信した券面画像を個人コードに関連付けて記憶する、
ことを特徴とする請求項１に記載したＩＤカード申請システム。
【請求項３】
前記写真撮影装置は、郵送交付または窓口交付のいずれかを申請者に選択させ、申請者の個人コードと申請者が選択した交付方法を含む交付通知を前記申請受付装置へ送信する交付受付手段を備え、
前記申請受付装置の前記申請受付手段は、前記交付通知が前記写真撮影装置から送信されると、ＩＤカードのカード発行機関に対して、前記交付通知に含まれる個人コードに関連付けられた申請書、顔写真および交付方法を送信する、
ことを特徴とする請求項１または請求項２に記載したＩＤカード申請システム。
【請求項４】
申請者の顔写真を撮影する顔写真撮影手段と、申請者から取得した認証データを申請者の身分証明ＩＣカードに照合させて本人認証を行う本人認証手段と、顔写真を撮影する操作がなされると、申請者から個人コードを取得した後、前記本人認証手段を作動させて本人認証を行い、前記顔写真撮影手段による顔写真の撮影を許可し、前記顔写真撮影手段が撮影した顔写真と個人コードを、ネットワークを介して申請者の顔写真を受け付ける申請受付装置へ送信する顔写真提出手段を備えた写真撮影装置。
【請求項５】
前記写真撮影装置は、前記身分証明ＩＣカードの券面画像を撮影する券面撮影手段を備え、前記顔写真提出手段は、前記顔写真撮影手段が撮影した顔写真と個人コードを前記申請受付装置へ送信する前に、前記券面撮影手段を作動させて、前記身分証明ＩＣカードの券面画像を撮影し、本人認証に成功すると、前記顔写真撮影手段が撮影した顔写真と個人コードに加え、前記券面撮影手段が撮影した券面画像を前記申請受付装置へ送信することを特徴とする請求項４に記載した写真撮影装置。
【請求項６】
郵送交付または窓口交付のいずれかを申請者に選択させ、申請者の個人コードと申請者が選択した交付方法を含む交付通知を前記申請受付装置へ送信する交付受付手段を備えたことを特徴とする請求項４または請求項５に記載した写真撮影装置。
【発明の詳細な説明】
【技術分野】
【０００１】
本発明は、公的機関が発行した身分証明ＩＣカードを利用して、住民基本台帳カードなど他のＩＤカードの新規発行を申請できるようにするための技術に関する。
【背景技術】
【０００２】
現行の住民基本台帳カードは、居住地の役所窓口にて申請および交付が行われており、なりすましや偽造防止のために対面方式以外の方式で申請および交付は行われていない。
【０００３】
住民基本台帳カードの申請および交付を役所窓口で行うと、住民基本台帳カードの申請者は、申請時および交付時それぞれで役所窓口に出向かなければならず、役所窓口の受付時間に勤務している労働者が住民基本台帳カードを申請する妨げとなっている。また、役所窓口で住民基本台帳カードの申請および交付を行うと、住民基本台帳カードの申請および交付を行う役所窓口の業務負荷が増え、該役所窓口が混雑する原因にもなっている。
【０００４】
このようなことを鑑みると、住民基本台帳カードの申請を行う役所窓口に出向かなくとも、インターネットなどのネットワークを利用して、住民基本台帳カードの申請を行えるようにできることが望ましい。
【０００５】
ネットワークを利用して顔写真付きのＩＤカードの発行手続きを行えるようにした発明として、特許文献１において、申請者の個人情報と顔写真を用いてＩＤカードの更新発行処理をするカード発行管理システムと、申請者の顔写真を撮影する撮影装置（例えば、証明写真撮影装置）と、撮影装置によって撮影された顔写真と申請者が入力した個人情報を、ネットワークを介してカード発行管理システムへ送信する情報処理装置（例えば、申請者のパーソナルコンピュータ）とから少なくとも構成されるシステムが開示されている。
【０００６】
なお、撮影装置によって撮影された顔写真を情報処理装置が取得する手法として、特許文献１には、ＣＤ−ＲＯＭなどの記憶媒体から顔写真を取得する手法、ネットワークを利用して撮影装置へアクセスし、撮影装置から申請者の顔写真を取得する手法が記載されている。
【０００７】
しかしながら、特許文献１で開示されている発明は、ネットワークを利用してＩＤカードの更新発行の申請を行うことはできるが、ＩＤカードに印刷される顔写真を撮影する際のなりすましを防止することはできなかった。
【先行技術文献】
【特許文献】
【０００８】
【特許文献１】特開２００３−５８６５６号公報
【発明の概要】
【発明が解決しようとする課題】
【０００９】
そこで、本発明は、顔写真付きＩＤカードの新規発行を申請する際、ＩＤカードを発行しているカード発行者の窓口に出向かなくとも、ネットワークを利用して、ＩＤカードの新規発行を申請でき、かつ、前記ＩＤカードに印刷される顔写真を撮影する際のなりすましを防止できるシステム、および、該システムに必要な写真撮影装置を提供することを目的とする。
【課題を解決するための手段】
【００１０】
上述した課題を解決する第１の発明は、ネットワークを利用して顔写真付きのＩＤカードの新規発行を申請するためのＩＤカード申請システムで、ＩＤカードの申請者は、認証データを照合する手段を備えた身分証明ＩＣカードを所持する。
【００１１】
また、第１の発明にかかるＩＤカード申請システムには、ネットワークを利用して前記ＩＤカードの新規発行の申請を受付ける装置として、前記ＩＤカードの申請書と個人コードを外部の装置から受信すると、個人コードに関連付けて申請書を記憶し、顔写真と個人コードを外部の装置から受信すると、個人コードに関連付けて顔写真を記憶する申請受付手段を備えた申請受付装置が含まれる。
【００１２】
また、第１の発明にかかるＩＤカード申請システムには、ネットワークを利用して前記ＩＤカードの新規発行の申請を行う装置として、申請書の内容と個人コードを申請者に入力させ、申請書と個人コードを前記申請受付装置へ送信する申請書作成手段を備えた情報端末が含まれる。
【００１３】
また、第１の発明にかかるＩＤカード申請システムには、ネットワークを利用して前記ＩＤカードの新規発行の申請に利用する写真を撮影する装置として、申請者の顔写真を撮影する顔写真撮影手段を備えた写真撮影装置が含まれる。
【００１４】
この前記写真撮影装置は、前記ＩＤカードに印刷される顔写真を撮影する際のなりすましを防止するために、申請者から取得した認証データを申請者の前記身分証明ＩＣカードに照合させて本人認証を行う本人認証手段と、顔写真を撮影する操作がなされると、申請者から個人コードを取得した後、前記本人認証手段を作動させて本人認証を行い、本人認証に成功すると、前記顔写真撮影手段による顔写真の撮影を許可し、前記顔写真撮影手段が撮影した顔写真と個人コードを前記申請受付装置へ送信する顔写真提出手段を備えている。
【００１５】
なお、第１の発明にかかるＩＤカード申請システムにおいて、前記申請受付装置、前記情報端末および前記写真撮影装置はネットワークを介して接続する。
【００１６】
更に、第２の発明は、第１の発明にかかるＩＤカード申請システムにおいて、申請者が所持する前記身分証明ＩＣカードの券面画像を前記ＩＤカードのカード発行者が確認できるように、前記写真撮影装置は、前記身分証明ＩＣカードの券面画像を撮影する券面撮影手段を備え、前記顔写真提出手段は、前記顔写真撮影手段が撮影した顔写真と個人コードを前記申請受付装置へ送信する前に、前記券面撮影手段を作動させて、前記身分証明ＩＣカードの券面画像を撮影し、前記顔写真撮影手段が撮影した顔写真と個人コードに加え、前記券面撮影手段が撮影した券面画像を前記申請受付装置へ送信し、前記申請受付装置は、前記顔写真撮影手段から受信した券面画像を個人コードに関連付けて記憶することを特徴とする。
【００１７】
更に、第３の発明は、第１の発明または第２の発明にかかるＩＤカード申請システムにおいて、申請者が前記ＩＤカードの交付方法を選択できるように、前記写真撮影装置は、郵送交付または窓口交付のいずれかを申請者に選択させ、申請者の個人コードと申請者が選択した交付方法を含む交付通知を前記申請受付装置へ送信する交付受付手段を備え、前記申請受付装置の前記申請受付手段は、前記交付通知が前記写真撮影装置から送信されると、ＩＤカードのカード発行機関に対して、前記交付通知に含まれる個人コードに関連付けられた申請書、顔写真および交付方法を送信することを特徴とする。
【００１８】
更に、第４の発明は、第１の発明にかかるＩＤカード申請システムに必要な装置で、申請者の顔写真を撮影する顔写真撮影手段と、申請者から取得した認証データを申請者の前記身分証明ＩＣカードに照合させて本人認証を行う本人認証手段と、顔写真を撮影する操作がなされると、申請者から個人コードを取得した後、前記本人認証手段を作動させて本人認証を行い、前記顔写真撮影手段による顔写真の撮影を許可し、前記顔写真撮影手段が撮影した顔写真と個人コードを、ネットワークを介して申請者の顔写真を受け付ける申請受付装置へ送信する顔写真提出手段を備えた写真撮影装置である。
【００１９】
更に、第５の発明は、第２の発明にかかるＩＤカード申請システムに必要な装置で、第４の発明の写真撮影装置において、前記身分証明ＩＣカードの券面画像を撮影する券面撮影手段を備え、前記顔写真提出手段は、前記顔写真撮影手段が撮影した顔写真と個人コードを前記申請受付装置へ送信する前に、前記券面撮影手段を作動させて、前記身分証明ＩＣカードの券面画像を撮影し、本人認証に成功すると、前記顔写真撮影手段が撮影した顔写真と個人コードに加え、前記券面撮影手段が撮影した券面画像を前記申請受付装置へ送信することを特徴とする
【００２０】
更に、第６の発明は、第３の発明にかかるＩＤカード申請システムに必要な装置で、第４の発明または第５の発明の写真撮影装置において、郵送交付または窓口交付のいずれかを申請者に選択させ、申請者の個人コードと申請者が選択した交付方法を含む交付通知を前記申請受付装置へ送信する交付受付手段を備えたことを特徴とする。
【発明の効果】
【００２１】
このように、本発明によれば、顔写真付きのＩＤカードの新規発行を申請する際、ＩＤカードを発行しているカード発行者の窓口に出向かなくとも、ネットワークを利用して、ＩＤカードの新規発行を申請でき、かつ、ＩＤカードに印刷される顔写真を撮影する際のなりすましを防止できるシステム、および、該システムに必要な写真撮影装置を提供できる。
【図面の簡単な説明】
【００２２】
【図１】ＩＤカード申請システムのシステム構成を説明する図。
【図２】情報端末を説明する図。
【図３】写真撮影装置の外観を説明する図。
【図４】写真撮影装置を説明する図。
【図５】申請受付装置を説明する図。
【図６】ＩＤカード申請システムの動作を説明する第１図。
【図７】ＩＤカード申請システムの動作を説明する第２図。
【発明を実施するための形態】
【００２３】
ここから、本発明にかかるＩＤカード申請システムの好適な実施形態について、図面を参照しながら詳細に説明する。
【００２４】
図１は、本実施形態にかかるＩＤカード申請システム１のシステム構成を説明する図である。図１に図示したＩＤカード申請システム１は、ネットワーク８を利用して顔写真付きのＩＤカードの新規発行を申請できるように開発されたシステムで、ＩＤカード申請システム１には、申請者７がＩＤカードの新規発行を申請する際に利用する情報端末２と、申請者７がＩＤカードの顔写真を撮影する際に利用する写真撮影装置３と、ＩＤカードの新規発行の申請を受け付ける申請受付装置４と、ＩＤカードを発行するカード発行機関６が含まれ、各々の装置はネットワーク８を介して接続している。
【００２５】
ＩＤカードに印刷される顔写真を撮影する際のなりすましを防止するためには、ＩＤカードの新規発行を申請する申請者７の正当性を検証することが必要になり、本実施形態にかかるＩＤカード申請システム１では、申請者７が写真撮影装置３を利用して顔写真を撮影する際、身分証明ＩＣカード５を用いた本人認証として、暗証番号を照合する本人認証が実施される。
【００２６】
顔写真撮影時の本人認証に成功すると、写真撮影装置３にて撮影された顔写真が申請受付装置４へ送信され、申請者７が情報端末２を利用して作成した申請書と、写真撮影装置３を利用して撮影した顔写真が、申請者７の個人コードに関連付けて申請受付装置４に保存される。そして、申請者７の個人コードに関連付けて申請受付装置４に保存されている申請書と顔写真は、カード発行機関６へ送信され、カード発行機関６にて申請者７のＩＤカードが発行される。
【００２７】
なお、顔写真を撮影する際に身分証明ＩＣカード５の券面画像を撮影し、身分証明ＩＣカード５の券面画像を顔写真と共に申請受付装置４へ送信すると、身分証明ＩＣカード５のカード発行者側で身分証明ＩＣカード５の券面画像を確認でき、ＩＤカードに印刷される顔写真を撮影する際のなりすまし防止効果を高めることができる。
【００２８】
ここから、図１で図示したＩＤカード申請システム１を構成する各装置について説明する。
【００２９】
まず、申請者７が所持する身分証明ＩＣカード５について説明する。身分証明ＩＣカード５は、認証データを照合する手段を備え、公的機関が発行したＩＣカードで、本発明に利用可能な身分証明ＩＣカード５としては、警視庁または警察庁が発行するＩＣカード免許証や外務省が発行するＩＣ旅券（パスポート）などがあるが、本実施形態では、身分証明ＩＣカード５をＩＣカード免許証として説明する。
【００３０】
ＩＣカード免許証である身分証明ＩＣカード５には、身分証明ＩＣカード５を所持する者（ここでは、申請者７）にかかる情報として、氏名、生年月日、住所、有効期間、本籍、顔写真等が保存されている。
【００３１】
身分証明ＩＣカード５に保存されている情報は、認証データとなる暗証番号１と暗証番号２によって保護され、身分証明ＩＣカード５に設定されている暗証番号１は、身分証明ＩＣカード５を所持する者（ここでは、申請者７）の氏名、生年月日、住所、有効期間を少なくとも保護するための暗証番号で、身分証明ＩＣカード５が暗証番号１の照合に成功すると、これらの情報を身分証明ＩＣカード５から読み取ることができる。
【００３２】
また、身分証明ＩＣカード５に設定されている暗証番号２は、身分証明ＩＣカード５を所持する者（ここでは、申請者７）の本籍および顔写真を保護するための暗証番号で、身分証明ＩＣカード５が暗証番号１と暗証番号２の照合に成功すると、氏名、生年月日、住所、有効期間に加え、本籍および顔写真を身分証明ＩＣカード５から読み取ることができる。
【００３３】
次に、申請者７がＩＤカードを申請する際に利用する情報端末２について説明する。情報端末２は、申請者７の家に配置される装置で、デスクトップ型のパーソナルコンピュータやノート型のパーソナルコンピュータを情報端末２として利用できる。
【００３４】
図２は、情報端末２を説明する図である。情報端末２には、ＩＤカードの発行元であるカード発行者から事前に申請者に送信された発行通知書の個人コードと申請書の内容を申請者７に入力させ、申請書と個人コードを申請受付装置４に登録する申請書作成手段２０を備える。
【００３５】
情報端末２に備えられた申請書作成手段２０は、本実施形態ではブラウザで実現される。申請者は、ブラウザを操作して、申請受付装置４から送信されたウェブページに設けられた申請書の記入項目に申請者の情報を入力することで申請書を作成し、申請書と個人コードを申請受付装置４へ送信して、個人コードに関連付けて申請書を申請受付装置４に登録する。
【００３６】
なお、身分証明ＩＣカード５に対応したＩＣカードリーダを情報端末２に備えさせ、情報端末２の申請書作成手段２０は、申請書と個人コードを申請受付装置４へ送信する前に、身分証明ＩＣカード５を用いた本人認証を実行し、本人認証に成功した場合のみ、申請書と個人コードを申請受付装置４へ送信するようにすることもできる。
【００３７】
次に、写真撮影装置３について説明する。写真撮影装置３は、ＩＤカードの発行が許可された場所（例えば、スーパーやコンビニエンスストア）に配置される装置で、汎用的な証明写真撮影装置を改良することで実現される装置である。
【００３８】
図３は、写真撮影装置３の外観を説明する図である。写真撮影装置３には、汎用的な証明写真撮影装置と同様に、顔写真を撮影するカメラ３ｂ、顔写真を撮影するための光源３ａ、カメラ３ｂによって撮影された顔写真等を表示するディスプレイ３ｃ、テンキーなどの操作パネル３ｄ、写真等を出力するプリンタ３ｈ、写真撮影装置３の利用料金を投入する料金投入口３ｇが備えられ、更に、図３では、身分証明ＩＣカード５のカード挿入口３ｅと発行通知書の発行通知書挿入口３ｆを図示している。
【００３９】
図４は、写真撮影装置３を説明する図である。写真撮影装置３には、ＣＰＵなどが実装されたコンピュータボードが実装され、該コンピュータボードに実装されたコンピュータプログラムを利用して実現される手段として、写真撮影装置３は、申請者７の顔写真を撮影する顔写真撮影手段３１と、申請者７から取得した認証データを申請者７の身分証明ＩＣカード５に照合させて本人認証を行う本人認証手段３２と、顔写真を撮影する操作がなされると、申請者７から個人コードを取得した後、本人認証手段３２を作動させて本人認証を行い、本人認証に成功すると、顔写真撮影手段３１による顔写真の撮影を許可し、顔写真撮影手段３１が撮影した顔写真と個人コードを申請受付装置４へ送信する顔写真提出手段３０と、顔写真撮影手段３１が撮影した顔写真と個人コードを申請受付装置へ送信した後、郵送交付または窓口交付のいずれかを申請者７に選択させる画面をディスプレイ３に表示し、申請者７の選択結果を申請受付装置４へ送信する交付受付手段３３を備え、更に、写真撮影装置３には、カード挿入口３ｅに挿入された身分証明ＩＣカード５の券面画像を撮影する券面撮影手段３６と、カード挿入口３ｅに挿入された身分証明ＩＣカード５とデータ通信するカードリーダ３５と、発行通知書に印刷された光学コードにエンコードされている個人コードを読み取るバーコードリーダ３４が接続されている。
【００４０】
写真撮影装置３の顔写真提出手段３０は、顔写真を撮影する操作がなされると、バーコードリーダ３４により申請者７の個人コードを取得した後、本人認証手段３２を作動させて本人認証を行い、本人認証に成功すると、顔写真撮影手段３１による顔写真の撮影を許可する。
【００４１】
また、写真撮影装置３の本人認証手段３２は、ディスプレイ３ｃ、操作パネル３ｄ、カードリーダ３５などを利用して実現される手段で、写真撮影装置３を操作する申請者７から暗証番号１および暗証番号２を取得し、暗証番号１および暗証番号２それぞれを身分証明ＩＣカード５に照合させる手段である。
【００４２】
また、写真撮影装置３の顔写真撮影手段３１は、ディスプレイ３ｃ、操作パネル３ｄ、カメラ３ｂ、光源３ａなどを利用して実現される手段で、写真撮影装置３に設けられている椅子に着座している申請者７の顔写真を撮影する手段である。
【００４３】
また、写真撮影装置３の券面撮影手段３６は、スキャナーやカメラなどを利用して、カード挿入口３ｅに挿入された身分証明ＩＣカード５の券面画像を撮影する手段である。
【００４４】
また、写真撮影装置３の交付受付手段３３は、顔写真撮影手段３１が撮影した顔写真と個人コードを申請受付装置４へ送信した後、ＩＤカードの交付方法を選択させるメッセージをディスプレイ３ｃに表示して申請者７から交付方法を取得し、顔写真提出手段３０が取得した個人コードと申請者７が選択した交付方法を含む交付通知を申請受付装置４へ送信する手段である。
【００４５】
次に、申請受付装置４について説明する。申請受付装置４は、ＩＤカードを発行するカード発行者が管理している装置で、汎用的なネットワークサーバを利用して実現される装置である。
【００４６】
図５は、申請受付装置４を説明する図である。申請受付装置４は、ＤＢ（DB: DataBase）として、申請書を記憶する申請書ＤＢ４１と、顔写真を記憶する顔写真ＤＢ４２と、身分証明ＩＣカード５の券面画像を記憶する券面ＤＢ４３を備え、コンピュータプログラムにより実現される手段として、申請書と個人コードを外部の装置から受信すると、個人コードに関連付けて申請書を申請書ＤＢ４１に記憶し、顔写真と個人コードを外部の装置から受信すると、個人コードに関連付けて顔写真を顔写真ＤＢ４２に記憶する申請受付手段４０を備えている。
【００４７】
また、申請受付装置４の申請受付手段４０は、申請者７の個人コードと交付方法を写真撮影装置３から受信した後、カード発行機関６に対して、写真撮影装置３から受信した交付方法と写真撮影装置３から受信した個人コードに関連付けられた申請書と顔写真を送信して、申請者７のＩＤカードの発行をカード発行機関６に依頼する。
【００４８】
次に、カード発行機関６について説明する。カード発行機関６は、ＩＤカードを発行する会社などで、カード発行機関６には、申請受付装置４から送信された申請書と顔写真から発行データを生成し、生成した発行データを利用してＩＤカードを発行するカード発行システム６ａが設置されている。
【００４９】
ここから、ＩＤカード申請システム１の動作について説明する。図６は、ＩＤカード申請システムの動作を説明する第１図で、申請者７が申請書を作成する際の動作を説明する図ある。
【００５０】
申請者７は、ＩＤカードの申請を行う前に、申請者７の個人コードそのものと該個人コードがエンコードされた光学コード（例えば、バーコード）が印刷された発行通知書を受領したこととＩＤカードの申請を行うために情報端末２の申請書作成手段２０を起動させて、ＩＤカードの申請を受け付けるウェブページで、申請受付装置４が公開している申請ページにアクセスする（Ｓ１）。
【００５１】
ＩＤカードの申請ページにアクセスがあると、申請受付装置４の申請受付手段４０は、アクセスした情報端末２に対して申請ページを送信し、申請ページが情報端末２に表示される（Ｓ２）。
【００５２】
申請ページには、申請書の記入項目として、申請者７の氏名、生年月日、住所および本籍などを入力するフォームと、申請者７がカード発行者から受け取った発行通知書に印刷された個人コードを入力するフォームが記述され、申請者７が、情報端末２の申請書作成手段２０を操作してこれらのフォームに情報を入力することで、情報端末２の申請書作成手段２０は、申請書の内容と個人コードを取得する（Ｓ３）。
【００５３】
申請者７が、申請書の内容と個人コードの入力を完了し、ＩＤカードの申請書を申請受付装置４に送信する操作を行うと、申請者７が入力した個人コードと申請書を申請受付装置４へ送信する（Ｓ４）。
【００５４】
申請受付装置４の申請受付手段４０は、個人コードと申請書が情報端末２から送信されると、個人コードに関連付けて申請書を申請書ＤＢ４１へ保存して（Ｓ５）、図６の手順は終了する。
【００５５】
ここから、ＩＤカード申請システム１の動作について説明する。図７は、ＩＤカード申請システムの動作を説明する第２図で、申請者７が顔写真を撮影する際の動作を説明する図ある。
【００５６】
ＩＤカードの申請書を申請受付装置４へ登録した申請者７が写真撮影装置３を訪れ、顔写真を撮影するための料金を料金投入口３ｇに投入した後、写真撮影装置３のディスプレイ３ｃに表示されている撮影メニューの中から、申請用写真を選択すると、写真撮影装置３の顔写真提出手段３０が作動する（Ｓ１０）。
【００５７】
写真撮影装置３の顔写真提出手段３０は、写真撮影装置３を操作している申請者７が所持している発行通知書を発行通知書挿入口３ｆに挿入するメッセージをディスプレイ３ｃに表示させた後、バーコードリーダ３４を作動させて、申請者７が挿入した発行通知書に印刷された光学コードにエンコードされている個人コードを読み取る（Ｓ１１）。
【００５８】
次に、写真撮影装置３の顔写真提出手段３０は、身分証明ＩＣカード５をカード挿入口３ｅに挿入させるメッセージをディスプレイ３ｃに表示し、券面撮影手段３６を作動させて、申請者７がカード挿入口３ｅに挿入した身分証明ＩＣカード５の券面画像を撮影する（Ｓ１２）。
【００５９】
次に、写真撮影装置３の顔写真提出手段３０は、写真撮影装置３の本人認証手段３２を作動させ、本人認証手段３２は、写真撮影装置３を操作している申請者７を本人認証する（Ｓ１３）。
【００６０】
写真撮影装置３の本人認証手段３２は、写真撮影装置３を操作している申請者７を本人認証する際、まず、暗証番号１および暗証番号２を入力させるメッセージをディスプレイ３ｃに表示して、申請者７が操作パネル３ｄを利用して写真撮影装置３に入力した暗証番号１および暗証番号２を取得する。
【００６１】
次に、写真撮影装置３の本人認証手段３２は、写真撮影装置３のカードリーダ３５が検出している身分証明ＩＣカード５に暗証番号１を送信して、該身分証明ＩＣカード５に暗証番号１を照合させる。
【００６２】
次に、写真撮影装置３の本人認証手段３２は、写真撮影装置３のカードリーダ３５が検出している身分証明ＩＣカード５に暗証番号２を送信して、該身分証明ＩＣカード５に暗証番号２を照合させ、暗証番号１と暗証番号２の照合に成功すると、写真撮影装置３を操作する申請者７の本人認証に成功したと判定する。
【００６３】
写真撮影装置３の顔写真提出手段３０は、本人認証手段３２が本人認証に失敗すると、本人認証に失敗したことを通知するメッセージをディスプレイ３ｃに表示してから、顔写真撮影手段３１を作動させて、写真撮影装置３を操作する申請者７の顔写真を撮影した後（Ｓ２１）、撮影した顔写真をプリンタ３ｈへ出力し、カード発行者の窓口まで申請者７に写真を持参させるメッセージをディスプレイ３ｃに表示して（Ｓ２２）、この手順を終了する。
【００６４】
また、写真撮影装置３の顔写真提出手段３０は、本人認証手段３２が本人認証に成功すると、顔写真撮影手段３１を作動させ、写真撮影装置３を操作する申請者７の顔写真を撮影する（Ｓ１４）。
【００６５】
次に、写真撮影装置３の顔写真提出手段３０は、バーコードリーダ３４で読み取った個人コード、券面撮影手段３６が撮影した身分証明ＩＣカード５の券面画像、そして、顔写真撮影手段３１が撮影した顔写真を申請受付装置４へ送信し（Ｓ１５）、申請受付装置４の申請受付手段４０は、写真撮影装置３から受信した個人コードに関連付けて、写真撮影装置３から受信した顔写真を顔写真ＤＢ４２に保存し、該個人コードに関連付けて、写真撮影装置３から受信した身分証明ＩＣカード５の券面画像を券面ＤＢ４３に保存する（Ｓ１６）。
【００６６】
写真撮影装置３の顔写真提出手段３０が顔写真を送信すると、写真撮影装置３の交付受付手段３３が作動し、写真撮影装置３の交付受付手段３３は、郵送交付または窓口交付のいずれかの交付方法を申請者７に選択させるメッセージをディスプレイ３ｃに表示させ、写真撮影装置３を操作する申請者７に交付方法を選択させる（Ｓ１７）。
【００６７】
次に、写真撮影装置３の交付受付手段３３は、写真撮影装置３を操作する申請者７が選択した交付方法と発行通知書から読み取った個人コードを含む交付通知を申請受付装置４へ送信する（Ｓ１８）。
【００６８】
申請受付装置４の申請受付手段４０は、写真撮影装置３から交付通知が通知されると、交付通知に含まれる個人コードに関連付けられている申請書を申請書ＤＢ４１から取得し、更に、該個人コードに関連付けられている顔写真を顔写真ＤＢ４２から取得した後、交付通知に含まれる交付方法、取得した申請書および顔写真をカード発行機関６に送信して、申請者７のＩＤカードの発行をカード発行機関６に依頼する（Ｓ１９）。
【００６９】
カード発行機関６は、写真撮影装置３から発行依頼を受けると、カード発行システムを利用して申請者７のＩＤカードを発行し（Ｓ２０）、この手順は終了する。
【００７０】
なお、交付方法が郵送交付の場合、カード発行機関６で発行されたＩＤカードはカード発行機関６から申請者７へ郵送され、交付方法が窓口交付の場合、カード発行機関６で発行されたＩＤカードはカード発行機関６からカード発行者へ輸送される。
【符号の説明】
【００７１】
１    ＩＤカード申請システム
２    情報端末
２０    申請書作成手段
３    写真撮影装置
３０    顔写真提出手段
３１    顔写真撮影手段
３２    本人認証手段
３３    交付受付手段
３４    バーコードリーダ
３５    カードリーダ
３６    券面撮影手段
４    申請受付装置
４０    申請受付手段
４１    申請書ＤＢ
４２    顔写真ＤＢ
５    身分証明ＩＣカード
６    カード発行機関
【図１】
2014002640.tif 000003
【図２】
2014002640.tif 000004
【図３】
2014002640.tif 000005
【図４】
2014002640.tif 000006
【図５】
2014002640.tif 000007
【図６】
2014002640.tif 000008
【図７】
2014002640.tif 000009